(57)【要約】【課題】地上または海上の設置箇所に迅速に設置及び撤去することができる送電手段の提供を課題とする。【解決手段】小面積のアンテナ面７ａ（９ａ）を有する複数の送電アンテナユニット７（受電アンテナユニット９）を備え、これらを互いに組み合わせたときに形成される各アンテナ面７ａ（９ａ）の総和により大面積のアンテナ面をなす送受電アンテナ及びその設置方法を採用した。【選択図】　　　図１
2004088216.tif 000002
【特許請求の範囲】
【請求項１】
マイクロ波を発する送電アンテナと、該送電アンテナからの前記マイクロ波を受けて受電する受電アンテナとを備え、地上または海上の設置箇所に据え付けられて電力伝送を行う送受電アンテナであり、
前記送電アンテナまたは前記受電アンテナの何れか一方もしくは両方が、
小面積のアンテナ面を有する複数のアンテナユニットを備えてなり、
これらアンテナユニットを互いに組み合わせたときに形成される前記各アンテナ面の総和により、大面積のアンテナ面を構成する
ことを特徴とする送受電アンテナ。
【請求項２】
請求項１に記載の送受電アンテナにおいて、
前記各小面積のアンテナ面が互いに面一となるように、前記各アンテナユニットを保持するアンテナフレームが更に備えられている
ことを特徴とする送受電アンテナ。
【請求項３】
請求項２に記載の送受電アンテナにおいて、
前記アンテナフレームは、前記各アンテナユニットの自重を支持する
ことを特徴とする送受電アンテナ。
【請求項４】
請求項２または請求項３に記載の送受電アンテナにおいて、
前記アンテナフレームと前記各アンテナユニットとの間には、該アンテナフレームに対する該アンテナユニットの嵌め込みをガイドするガイド部が設けられている
ことを特徴とする送受電アンテナ。
【請求項５】
請求項１に記載の送受電アンテナにおいて、
前記各アンテナユニット間には、これらアンテナユニットがお互いに重ね合わせられるように折り畳み可能に連結するヒンジ部が設けられている
ことを特徴とする送受電アンテナ。
【請求項６】
マイクロ波を発する送電アンテナと、該送電アンテナからの前記マイクロ波を受けて受電する受電アンテナとを備え、地上または海上の設置箇所に据え付けられて電力伝送を行う送受電アンテナの設置方法であり、
前記送電アンテナまたは前記受電アンテナの何れか一方もしくは両方を、小面積のアンテナ面を有する複数のアンテナユニットに分割し、
これらアンテナユニットを互いに組み合わせることで形成される前記各アンテナ面の総和により、大面積のアンテナ面を構成する
ことを特徴とする送受電アンテナの設置方法。
【請求項７】
請求項６に記載の送受電アンテナの設置方法において、
前記各アンテナユニットを、前記小面積のアンテナ面がお互いに面一となるように積み上げることで、前記大面積のアンテナ面を構成する
ことを特徴とする送受電アンテナの設置方法。
【請求項８】
請求項６に記載の送受電アンテナの設置方法において、
前記各小面積のアンテナ面が互いに面一となるように、前記各アンテナユニットを保持するアンテナフレームを更に備え、
このアンテナフレームを倒した状態で前記各アンテナユニットを固定した後、該アンテナフレームを立設させることで、前記大面積のアンテナ面を立設する
ことを特徴とする送受電アンテナの設置方法。
【請求項９】
請求項８に記載の送受電アンテナの設置方法において、
前記アンテナフレームに対して、前記各アンテナユニットを、その上方より下ろしながら嵌め込むように取り付ける
ことを特徴とする送受電アンテナの設置方法。
【請求項１０】
請求項８に記載の送受電アンテナの設置方法において、
前記アンテナフレームに対して、前記各アンテナユニットを、その側方より水平移動させながら嵌め込むように取り付ける
ことを特徴とする送受電アンテナの設置方法。
【請求項１１】
請求項６に記載の送受電アンテナの設置方法において、
前記各アンテナユニット間を、これらアンテナユニットがお互いに重ね合わせられるように折り畳み可能にヒンジ結合し、
これら連続するアンテナユニットを、その一端側のアンテナユニットを前記設置箇所に固定した状態で他端側のアンテナユニットを前記一端側のアンテナユニットから離間させるように引っ張って伸展させることで、前記大面積のアンテナ面を構成する
ことを特徴とする送受電アンテナの設置方法。
【発明の詳細な説明】
【０００１】
【発明の属する技術分野】
本発明は、送受電アンテナと、この送受電アンテナの設置方法とに関する。
【０００２】
【従来の技術】
周知のように、地上における遠隔地への送電方法としては、地上に立設された複数の電柱間に送電線を敷設する方法が一般的となっている。また、海中への送電方法としては、例えば特願２０００−３５７８３９号公報や、特願平０５−３１１８０８号公報などに開示されているように、海中に海底ケーブルを敷設して送電する技術が開示されている。同様に、間に海を挟んだ遠隔地への送電に際しても、海底ケーブルを用いる方法が一般的に用いられる。
【０００３】
一方、このような有線による送電方法に対し、マイクロ波を用いた無線の送電技術が開発されつつある。このマイクロ波による送電は、給電側である送電アンテナと、この送電アンテナに対して遠隔地に配置された受電側の受電アンテナとを設置し、送電アンテナ側が電力から変換したマイクロ波を、受電アンテナに向かって送信する。そして、受電アンテナが受信したマイクロ波を再び電力に変換することで、電力の受け渡しが行われる。このマイクロ波を用いた送電方法は、宇宙空間で太陽光発電して得られた電力を、地上の受電側に向かって送電するなどの用途が考えられている。この場合、宇宙空間に送電アンテナを設置するとともに、地上側に受電アンテナを設置することになる。
【０００４】
【発明が解決しようとする課題】
ところで、発電設備のない離島や災害発生時における被災地への送電に際しては、前記有線（電線、海底ケーブル）の敷設による送電方法では、その敷設工事に多大な手間と時間が要求されるため、必ずしも適切な手段となり得ない問題がある。また、前記無線（マイクロ波）による送電方法においても、大面積の送電面／受電面を有する送電アンテナ／受電アンテナを設置するには、やはり、その設置工事に多大な手間と時間が要求される問題を有している。さらに、この送電アンテナ／受電アンテナを用いる送電方法では、地上への設置であるため、設置後に台風などの気象条件が悪化した場合に、すぐさま撤去することができないので、強風を受けて破損し、送電できなくなってしまう恐れがあるという問題もある。
【０００５】
このように、従来では、発電設備のない離島や災害発生時における被災地への送電のために、迅速に設置／撤去できる送電システムがなかったため、これを達成できる送電システムが切望されていた。
【０００６】
本発明は、上記事情に鑑みてなされたものであり、地上または海上の設置箇所に迅速に設置及び撤去することができる送電手段の提供を目的とする。
【０００７】
【課題を解決するための手段】
本発明は、上記課題を解決するために以下の手段を採用した。
すなわち、請求項１に記載の送受電アンテナは、マイクロ波を発する送電アンテナと、該送電アンテナからの前記マイクロ波を受けて受電する受電アンテナとを備え、地上または海上の設置箇所に据え付けられて電力伝送を行う送受電アンテナであり、前記送電アンテナまたは前記受電アンテナの何れか一方もしくは両方が、小面積のアンテナ面を有する複数のアンテナユニットを備えてなり、これらアンテナユニットを互いに組み合わせたときに形成される前記各アンテナ面の総和により、大面積のアンテナ面を構成することを特徴とする。
上記請求項１に記載の送受電アンテナによれば、設置する場合には、各アンテナユニットを設置場所まで搬送した後、これらを互いに組み合わせるだけで、大面積のアンテナ面を有する送電アンテナ／受電アンテナを設置することができる。逆に、撤去する場合には、送電アンテナ／受電アンテナを各アンテナユニットに分解するだけで小型化するため、すぐさま撤去または収容可能な状態にすることができる。
【０００８】
請求項２に記載の送受電アンテナは、請求項１に記載の送受電アンテナにおいて、前記各小面積のアンテナ面が互いに面一となるように、前記各アンテナユニットを保持するアンテナフレームが更に備えられていることを特徴とする。
上記請求項２に記載の送受電アンテナによれば、各小面積のアンテナ面の向きが狂うことのないように容易に設置することができる。
【０００９】
請求項３に記載の送受電アンテナは、請求項２に記載の送受電アンテナにおいて、前記アンテナフレームが、前記各アンテナユニットの自重を支持することを特徴とする。
上記請求項３に記載の送受電アンテナによれば、各アンテナユニットそれぞれが、その上方に位置する他のアンテナユニットを支持するための構造強度を持たずに済む。
【００１０】
請求項４に記載の送受電アンテナは、請求項２または請求項３に記載の送受電アンテナにおいて、前記アンテナフレームと前記各アンテナユニットとの間には、該アンテナフレームに対する該アンテナユニットの嵌め込みをガイドするガイド部が設けられていることを特徴とする。
上記請求項４に記載の送受電アンテナによれば、ガイド部に沿って、各アンテナユニットをアンテナフレームに嵌め込んでいくだけで、送電アンテナ／受電アンテナを容易かつ正確に設置することができる。
【００１１】
請求項５に記載の送受電アンテナは、請求項１に記載の送受電アンテナにおいて、前記各アンテナユニット間に、これらアンテナユニットがお互いに重ね合わせられるように折り畳み可能に連結するヒンジ部が設けられていることを特徴とする。
上記請求項５に記載の送受電アンテナによれば、設置状態の送電アンテナ／受電アンテナを、そのヒンジ部において各アンテナユニットを折り畳むだけで、小型化して収容することができる。また、収容状態の送電アンテナ／受電アンテナを、そのヒンジ部において各アンテナユニット間を伸展させるだけで、大面積のアンテナ面を有する送電アンテナ／受電アンテナを構成することができる。
【００１２】
請求項６に記載の送受電アンテナの設置方法は、マイクロ波を発する送電アンテナと、該送電アンテナからの前記マイクロ波を受けて受電する受電アンテナとを備え、地上または海上の設置箇所に据え付けられて電力伝送を行う送受電アンテナの設置方法であり、前記送電アンテナまたは前記受電アンテナの何れか一方もしくは両方を、小面積のアンテナ面を有する複数のアンテナユニットに分割し、これらアンテナユニットを互いに組み合わせることで形成される前記各アンテナ面の総和により、大面積のアンテナ面を構成することを特徴とする。
上記請求項６に記載の送受電アンテナの設置方法によれば、各アンテナユニットを設置場所まで搬送した後、これらを互いに組み合わせるだけで、大面積のアンテナ面を有する送電アンテナ／受電アンテナを設置することができる。逆に、撤去する場合には、送電アンテナ／受電アンテナを各アンテナユニットに分解するだけで小型化するため、すぐさま撤去または収容可能な状態にすることができる。
【００１３】
請求項７に記載の送受電アンテナの設置方法は、請求項６に記載の送受電アンテナの設置方法において、前記各アンテナユニットを、前記小面積のアンテナ面がお互いに面一となるように積み上げることで、前記大面積のアンテナ面を構成することを特徴とする。
上記請求項７に記載の送受電アンテナの設置方法によれば、迅速かつ容易に設置することができる。
【００１４】
請求項８に記載の送受電アンテナの設置方法は、請求項６に記載の送受電アンテナの設置方法において、前記各小面積のアンテナ面が互いに面一となるように、前記各アンテナユニットを保持するアンテナフレームを更に備え、このアンテナフレームを倒した状態で前記各アンテナユニットを固定した後、該アンテナフレームを立設させることで、前記大面積のアンテナ面を立設することを特徴とする。
上記請求項８に記載の送受電アンテナの設置方法によれば、各アンテナユニットをひとつずつ積み上げながら構築していく場合に比較して、低位置で組み立て作業を行うことができる。
【００１５】
請求項９に記載の送受電アンテナの設置方法は、請求項８に記載の送受電アンテナの設置方法において、前記アンテナフレームに対して、前記各アンテナユニットを、その上方より下ろしながら嵌め込むように取り付けることを特徴とする。
上記請求項９に記載の送受電アンテナの設置方法によれば、アンテナフレーム上の任意箇所から各アンテナユニットを取り付けていくことができるので、アンテナフレーム上の複数箇所に同時に取り付け作業を行うことができる。
【００１６】
請求項１０に記載の送受電アンテナの設置方法は、請求項８に記載の送受電アンテナの設置方法において、前記アンテナフレームに対して、前記各アンテナユニットを、その側方より水平移動させながら嵌め込むように取り付けることを特徴とする。
上記請求項１０に記載の送受電アンテナの設置方法によれば、各アンテナユニットの組み付けに際し、これらを高く持ち上げなくて済む。
【００１７】
請求項１１に記載の送受電アンテナの設置方法は、請求項６に記載の送受電アンテナの設置方法において、前記各アンテナユニット間を、これらアンテナユニットがお互いに重ね合わせられるように折り畳み可能にヒンジ結合し、これら連続するアンテナユニットを、その一端側のアンテナユニットを前記設置箇所に固定した状態で他端側のアンテナユニットを前記一端側のアンテナユニットから離間させるように引っ張って伸展させることで、前記大面積のアンテナ面を構成することを特徴とする。
上記請求項１１に記載の送受電アンテナの設置方法によれば、収容状態の送電アンテナ／受電アンテナを、そのヒンジ部において各アンテナユニット間を伸展させるだけで、大面積のアンテナ面を有する送電アンテナ／受電アンテナを構成することができる。また、設置状態の送電アンテナ／受電アンテナを、そのヒンジ部において各アンテナユニットを折り畳むだけで、小型化して収容することもできる。
【００１８】
【発明の実施の形態】
以下、本発明の送受電アンテナ及びその設置方法の各実施形態を、図面を参照しながら以下に説明するが、本発明がこれらに限定解釈されるものでないことはもちろんである。
【００１９】
まず、図１及び図２を参照しながら、本発明の第１実施形態について以下に説明を行う。なお、図１は、設置後の送受電アンテナを示す斜視図であり、図２は、その設置方法を示す斜視図である。
図１に示すように、本実施形態の送受電アンテナは、マイクロ波を発する送電アンテナ１と、この送電アンテナ１からのマイクロ波を受けて受電する受電アンテナ２とを備えて構成されており、地上または海上の設置箇所に据え付けられてこれらの間での電力伝送を行うものとなっている。
【００２０】
すなわち、送電アンテナ１には、図示されない発電設備からの電線３が、複数本の電柱４を介して接続されており、前記発電設備からの電力供給を受けられるようになっている。一方、受電アンテナ２には、図示されない受電設備に向かって電線５が、複数本の電柱６を介して接続されており、前記受電設備への電力供給を行えるようになっている。
【００２１】
送電アンテナ１は、小面積の四角いアンテナ面７ａを有する複数個（同図の例では、１６個）の送電用アンテナユニット７（アンテナユニット）と、これら送電用アンテナユニット７を保持するアンテナフレーム８と、このアンテナフレーム８を直立状態／水平状態に起立／傾倒させるクレーン（図示せず）と、起立後のアンテナフレーム８の直立状態を維持する基礎９及びフレーム支持部材１０とを備えて構成されている。
【００２２】
各送電用アンテナユニット７は、図２に示すように、前記アンテナ面７ａを表面とする四角板形状の送電アンテナ板７Ａと、この送電アンテナ板７Ａの裏面側に固定され、前記発電設備からの電力を受けてマイクロ波に変換するマグネトロンが収容された送電ボックス７Ｂとを備えている。
アンテナフレーム８は、全てのアンテナ面７ａを互いに面一とすると同時に、各送電用アンテナユニット７の自重を支持するように、これら送電用アンテナユニット７を保持する枠体である。このアンテナフレーム８により、各アンテナ面７ａの向きが狂うことのないように各送電用アンテナユニット７間の相対位置を固定することができるようになっている。また、このアンテナフレーム８が各送電用アンテナユニット７の自重を支持するため、各送電用アンテナユニット７それぞれが、その上方に位置する他の送電用アンテナユニット７を支持するための構造強度を持たずに済むようになっている。
【００２３】
再び図１に示すように、受電アンテナ２は、小面積の四角いアンテナ面９ａを有する複数個（同図の例では、１６個）の受電用アンテナユニット９（アンテナユニット）と、これら受電用アンテナユニット９を保持するアンテナフレーム１０と、このアンテナフレーム１０を直立状態／水平状態に起立／傾倒させるクレーン（図示せず）と、起立後のアンテナフレーム１０を直立状態に搭載するトレーラ１１とを備えて構成されている。
【００２４】
各受電用アンテナユニット７は、前記アンテナ面９ａを表面とする四角板形状の送電アンテナ板９Ａと、この送電アンテナ板９Ａの裏面側に固定され、受信したマイクロ波を電力に変換する変換器が収容された送電ボックス９Ｂとを備えている。
アンテナフレーム１０は、全てのアンテナ面９ａを互いに面一とすると同時に、各受電用アンテナユニット９の自重を支持するように、これら受電用アンテナユニット９を保持する枠体である。このアンテナフレーム９により、各アンテナ面９ａの向きが狂うことのないように各受電用アンテナユニット９間の相対位置を固定することができるようになっている。また、このアンテナフレーム１０が各受電用アンテナユニット９の自重を支持するため、各受電用アンテナユニット９それぞれが、その上方に位置する他の受電用アンテナユニット９を支持するための構造強度を持たずに済むようになっている。
【００２５】
以上説明の構成を有する本実施形態の送受電アンテナの設置方法について、以下に説明を行う。
送電サイト側では、まず、各送電アンテナユニット７とアンテナフレーム８を設置場所まで搬送する。そして、図２に示すように、このアンテナフレーム８を地上の水平面に倒した状態で、その碁盤状の凹所内に、上方より各送電アンテナユニット７を下ろしながら嵌め込んで取り付ける。嵌め込んだ後は、ボルトなどの固定部材を用いて固定する。
【００２６】
このようにして各送電アンテナユニット７を互いに組み合わせたときに形成される全てのアンテナ面７ａの総和により、大面積のアンテナ面が構成される。このときの前記アンテナ板７Ａは、アンテナフレーム８の上部を覆うように取り付けられるため、これらアンテナ板７Ａの側縁部がお互いに隙間なく接合し、送電アンテナ１全体としての外形状を小型に抑えながらも、前記大面積のアンテナ面の面積を最大限に確保可能としている。
【００２７】
全ての送電アンテナユニット７の組み付けが完了した後、これらの電線や信号線（図示略）を互いに接続し、さらには前記電線３に接続することで、全ての送電アンテナユニット７が送電可能な状態となる。
次に、アンテナフレーム８を前記クレーンにより、基礎９上に立設させるとともに、フレーム支持部材１０によって直立状態に支持することで、図１の設置状態となる。
なお、この送電アンテナ１の撤去作業については、以上説明の設置作業を逆に行うことで行われる。
【００２８】
受電サイト側では、各受電アンテナユニット９とアンテナフレーム１０を搭載したトレーラ１１を、設置場所まで移動させる。そして、アンテナフレーム１０をトレーラ１１の水平面上に倒した状態で、その碁盤状の凹所内に、上方より各受電アンテナユニット９を下ろしながら嵌め込んで取り付ける。嵌め込んだ後は、ボルトなどの固定部材を用いて固定する。
【００２９】
このようにして各受電アンテナユニット９を互いに組み合わせたときに形成される全てのアンテナ面９ａの総和により、大面積のアンテナ面が構成される。このときの前記アンテナ板９Ａは、アンテナフレーム１０の上部を覆うように取り付けられるため、これらアンテナ板９Ａの側縁部がお互いに隙間なく接合し、受電アンテナ２全体としての外形状を小型に抑えながらも、前記大面積のアンテナ面の面積を最大限に確保可能としている。
【００３０】
全ての受電アンテナユニット９の組み付けが完了した後、これらの電線や信号線（図示略）を互いに接続し、さらには前記電線５に接続することで、全ての受電アンテナユニット９が受電可能な状態となる。
次に、アンテナフレーム１０を前記クレーンにより、クレーン１１上に立設させるとともに、前記フレーム支持部材によって直立状態に支持することで、図１の設置状態となる。
なお、この受電アンテナ２の撤去作業については、以上説明の設置作業を逆に行うことで行われる。
【００３１】
以上説明の本実施形態の送受電アンテナによれば、大面積の送電アンテナ１／受電アンテナ２を容易に設置することができる上に、撤去時には小型に分解することができる。したがって、地上または海上の設置箇所に迅速に設置及び撤去することができ、例えば離島や被災地への迅速な送電や、台風などの気象条件が悪化に応じた迅速な撤去を可能としている。
【００３２】
また、本実施形態の送受電アンテナは、送電アンテナ１／受電アンテナ２のそれぞれにおいて、各小面積のアンテナ面７ａ（９ａ）が互いに面一となるように保持するアンテナフレーム８（１０）を備えているため、設置後の各アンテナ面７ａ（９ａ）の向きに狂いが生じないので、構築した大面積の各アンテナ面の平滑度を十分に確保することができ、設置ミスによる送電効率の低下を防ぐことが可能となっている。
また、本実施形態の送受電アンテナは、このアンテナフレーム８（１０）が、各送電アンテナユニット７（受電アンテナユニット９）の自重を支持する構成を採用しているため、各送電アンテナユニット７（受電アンテナユニット９）の設計構造強度を下げてこれらを軽量化、均質化することができ、設置箇所での設置、撤去作業やメンテナンス作業をさらに容易かつ迅速に行えるものとしている。
【００３３】
続いて、図３（ａ），（ｂ）を参照しながら本発明の第２実施形態について以下に説明を行う。なお、本実施形態は、前記アンテナフレーム８（１０）の代わりに、同図に示すアンテナフレーム２１を備えた点が、上記第１実施形態に比較して特に特徴的となっているので、この特徴点を中心に説明し、その他については、上記第１実施形態と同様であるとしてその説明を省略する。
【００３４】
図３（ａ）に示すように、本実施形態のアンテナフレーム２１は、前記各送電アンテナユニット７（受電アンテナユニット９）を嵌め込むための凹所２１ａが一列に並ぶ棒状の単体フレームユニット２１Ａを複数備えている。
そして、これら単体フレームユニット２１Ａの各凹所２１ａに各送電アンテナユニット７（受電アンテナユニット９）を嵌め込んだ後、各単体フレームユニット２１Ａ間を図３（ｂ）のように互いにボルト固定で連結していくことで、大面積のアンテナ面を有する送電アンテナ１（受電アンテナ２）を組み立てることができる。後は、上記第１実施形態と同様に、この組上がった送電アンテナ１（受電アンテナ２）を起立させて据え付けることで、その設置作業が完了する。また、撤去作業においては、逆の手順で分解していくことで撤去可能となる。
【００３５】
以上説明の本実施形態の送受電アンテナにおいても、上記第１実施形態の送受電アンテナと同様の作用効果を得ることが可能となる。さらに、本実施形態の送受電アンテナでは、そのアンテナフレーム２１を、複数本の棒状の単体フレームユニット２１Ａに分解できることから、撤去後の収納や搬送に際して更に好適なものとなっている。
また、任意本数の単体フレーム２１Ａを用いることができることから、送電規模に応じたアンテナ面積を確保することも可能となっている。
なお、図３（ａ），（ｂ）では、単体フレームユニット２１Ａを２列使用する場合を例に説明したが、これに限らず、３列以上を接合するものとしても良い。
【００３６】
続いて、図４を参照しながら本発明の第３実施形態について以下に説明を行う。なお、本実施形態は、前記アンテナフレーム８（１０）の代わりに、同図に示すアンテナフレーム３１を備えた点が、上記第１実施形態に比較して特に特徴的となっているので、この特徴点を中心に説明し、その他については、上記第１実施形態と同様であるとしてその説明を省略する。
【００３７】
図４に示すように、本実施形態のアンテナフレーム３１は、このアンテナフレーム３１に対する各送電アンテナユニット７（受電アンテナユニット９）の嵌め込みをガイドする複数本のガイドレール３２（ガイド部。同図の黒塗り部分）が、前記アンテナ板７Ａ（９Ａ）との接合箇所に設けられている。これらガイドレール３２は、組み立て後に形成される大面積のアンテナ面と平行に設けられている。したがって、このアンテナフレーム３１に対して、各送電アンテナユニット７（受電アンテナユニット９）を、その側方よりガイド部に沿って水平移動させながら嵌め込んでいくだけで、容易かつ正確に取り付けることができる。後は、上記第１実施形態と同様に、この組上がった送電アンテナ１（受電アンテナ２）を起立させて据え付けることで、その設置作業が完了する。また、撤去作業においては、逆の手順で分解していくことで撤去可能となる。
【００３８】
以上説明の本実施形態の送受電アンテナにおいても、上記第１実施形態の送受電アンテナと同様の作用効果を得ることが可能となる。さらに、本実施形態の送受電アンテナでは、各送電アンテナユニット７（受電アンテナユニット９）を高く持ち上げなくて済むので、比較的容易に組み上げることが可能となる。
さらに、本実施形態の送受電アンテナは、各ガイドレール３２を備えたことで、各送電アンテナユニット７（受電アンテナユニット９）を容易かつ正確に設置することができるので、設置作業をより迅速に行うことが可能となっている。
【００３９】
続いて、図５を参照しながら本発明の第４実施形態について以下に説明を行う。なお、本実施形態は、前記アンテナフレーム８（１０）を省略して直接組み上げていく点が、上記第１実施形態に比較して特に特徴的となっているので、この特徴点を中心に説明し、その他については、上記第１実施形態と同様であるとしてその説明を省略する。
【００４０】
図５に示すように、本実施形態の送電アンテナ１（受電アンテナ２）は、その各送電アンテナユニット７（受電アンテナユニット９）が、その上下方向における接合箇所間に凹凸嵌合部４１を備えている。また、水平方向において隣接する各送電アンテナユニット７（受電アンテナユニット９）間にも、上下方向のスライド動作のみを許容する縦方向凹凸嵌合ガイドが形成されており、これらを嵌合させることで、水平方向に離れることのないようになっている。
したがって、前記縦方向凹凸嵌合ガイドに沿って嵌め込みながら、各上下の凹凸嵌合部４１を接合させて積み上げていくことで、自然と、各アンテナ面７ａ（９ａ）がお互いに面一になるようになっている。
【００４１】
以上説明の本実施形態の送受電アンテナにおいても、上記第１実施形態の送受電アンテナと同様の作用効果を得ることが可能となる。さらに、本実施形態の送受電アンテナでは、前記アンテナフレーム８（１０）を省略できるので、設置箇所への運搬作業をより迅速に行うことが可能となっている。
【００４２】
続いて、図６を参照しながら本発明の第５実施形態について以下に説明を行う。なお、本実施形態は、各送電アンテナユニット７（受電アンテナユニット９）間の連結構造と、これら各送電アンテナユニット７（受電アンテナユニット９）の設置方法／撤去方法が、上記第１実施形態に比較して特に特徴的となっているので、この特徴点を中心に説明し、その他については、上記第１実施形態と同様であるとしてその説明を省略する。
【００４３】
図６に示すように、本実施形態の送電アンテナ１（受電アンテナ２）は、各送電アンテナユニット７（受電アンテナユニット９）間が、その上下方向において、これら各送電アンテナユニット７（受電アンテナユニット９）がお互いに重ね合わせられるように折り畳み可能に連結するヒンジ５１（ヒンジ部）で連結した構造を採用している。
さらに、本実施形態の送電アンテナ１（受電アンテナ２）は、前記アンテナフレーム８（１０）の代わりに、設置箇所に立設された一対（２本）の鉛直柱５２と、これら鉛直柱５２の上端間に水平に架設された水平柱５３とを備えている。さらに、本実施形態の送電アンテナ１（受電アンテナ２）は、前記クレーンの代わりに、最上段に積み重ねられる各送電アンテナユニット７（受電アンテナユニット９）の上端部に固定された複数本のワイヤ５４と、このワイヤ５４を水平柱５３の位置に向かって上方に導く複数個のプーリ５５と、これらプーリ５５を経た後の各ワイヤ５４を巻き取るウィンチ５６とを備えている。
【００４４】
この構成を有する送電アンテナ１（受電アンテナ２）では、ウィンチ５６を起動させると、各ワイヤに張力が生じるため、上下方向に連続する各送電アンテナユニット７（受電アンテナユニット９）のうち、その最下端側（一端側）の送電アンテナユニット７（受電アンテナユニット９）を設置箇所に固定した状態で、その最上端側（他端側）の送電アンテナユニット７（受電アンテナユニット９）が、前記最下端側から離間させるように上方向に引っ張られて伸展するので、大面積のアンテナ面が形成される。
【００４５】
以上説明の構成を有する本実施形態の送受電アンテナによれば、その設置／撤去作業では、各送電アンテナユニット７（受電アンテナユニット９）をひとつずつ取り付け／取り外しするのではなく、各ヒンジ５１において各送電アンテナユニット７（受電アンテナユニット９）間を伸展／折り畳みするだけで一括して行うことができる。したがって、設置／撤去作業をより迅速かつ容易に行うことが可能となっている。
【００４６】
なお、本実施形態では、各送電アンテナユニット７（受電アンテナユニット９）を伸展させるのに、ワイヤ５４及びウィンチ５６を用いるものとしたが、これに限らず、移動式のクレーン（図示せず）で吊り上げるものとしても良い。
【００４７】
【発明の効果】
本発明の請求項１に記載の送受電アンテナは、小面積のアンテナ面を有する複数のアンテナユニットを備えてなり、これらを互いに組み合わせたときに形成される各アンテナ面の総和により大面積のアンテナ面をなす構成を採用した。この構成によれば、大面積の送電アンテナ／受電アンテナを容易に設置することができる上に、撤去時には小型に分解することができる。したがって、地上または海上の設置箇所に迅速に設置及び撤去することが可能となる。
【００４８】
また、請求項２に記載の送受電アンテナは、各小面積のアンテナ面が互いに面一となるように保持するアンテナフレームを更に備える構成を採用した。この構成によれば、設置後の各小面積のアンテナ面の向きに狂いが生じないので、大面積のアンテナ面の平滑度を十分に確保することができ、設置ミスによる送電効率の低下を防ぐことが可能となる。
【００４９】
また、請求項３に記載の送受電アンテナは、アンテナフレームが各アンテナユニットの自重を支持する構成を採用した。この構成によれば、各アンテナユニットの設計構造強度を下げることができるので、各アンテナユニットを軽量化、均質化することができ、設置箇所での設置、撤去作業やメンテナンス作業をさらに容易かつ迅速に行うことが可能となる。
【００５０】
また、請求項４に記載の送受電アンテナは、アンテナフレームに対するアンテナユニットの嵌め込みをガイドするガイド部を備える構成を採用した。この構成によれば、送電アンテナ／受電アンテナを容易かつ正確に設置することができるので、設置作業をより迅速に行うことが可能となる。
【００５１】
また、請求項５に記載の送受電アンテナは、各アンテナユニット間をヒンジ部で連結する構成を採用した。この構成によれば、その設置／撤去作業では、各アンテナユニットをひとつずつ取り付け／取り外しするのではなく、ヒンジ部において各アンテナユニット間を伸展／折り畳みするだけで一括して行うことができる。したがって、設置／撤去作業をより迅速かつ容易に行うことが可能となる。
【００５２】
また、請求項６に記載の送受電アンテナの設置方法は、複数のアンテナユニットを互いに組み合わせることで形成される各アンテナ面の総和により、大面積のアンテナ面を構成する方法を採用した。この方法によれば、大面積の送電アンテナ／受電アンテナを容易に設置することができる上に、撤去時には小型に分解することができる。したがって、地上または海上の設置箇所に迅速に設置及び撤去することが可能となる。
【００５３】
また、請求項７に記載の送受電アンテナの設置方法は、各アンテナユニットを、そのアンテナ面がお互いに面一となるように積み上げることで、大面積のアンテナ面を構成する方法を採用した。この方法によれば、迅速かつ容易に設置することが可能となる。
【００５４】
また、請求項８に記載の送受電アンテナの設置方法は、アンテナフレームを倒した状態で各アンテナユニットを固定した後、該アンテナフレームを立設させて大面積のアンテナ面を立設する方法を採用した。この方法によれば、各アンテナユニットをひとつずつ積み上げながら構築していく場合に比較して、低位置で組み立て作業を行えるので、各アンテナ面が正確に面一となり、かつ容易に作業を行うことが可能となる。
【００５５】
また、請求項９に記載の送受電アンテナの設置方法は、各アンテナユニットを、アンテナフレームに対してその上方より下ろしながら嵌め込むように取り付ける方法を採用した。この方法によれば、アンテナフレーム上の複数箇所に同時に取り付け作業を行うことができるので、ひとつずつ組み上げていく場合に比較して、設置作業をより迅速に行うことが可能となる。
【００５６】
また、請求項１０に記載の送受電アンテナの設置方法は、アンテナフレームに対してその側方より水平移動させながら各アンテナユニットを嵌め込む方法を採用した。この方法によれば、各アンテナユニットを高く持ち上げなくて済むので、比較的容易に組み上げることが可能となる。
【００５７】
また、請求項１１に記載の送受電アンテナの設置方法は、各アンテナユニット間をヒンジ結合し、その一端側を固定した状態で他端側を引っ張って伸展させることで、大面積のアンテナ面を構成する方法を採用した。この方法によれば、その設置／撤去作業では、各アンテナユニットをひとつずつ取り付け／取り外しするのではなく、ヒンジ部において各アンテナユニット間を伸展／折り畳みするだけで一括して行うことができる。したがって、設置／撤去作業をより迅速かつ容易に行うことが可能となる。
【図面の簡単な説明】
【図１】本発明の送受電アンテナの第１実施形態を示す斜視図である。
【図２】同送受電アンテナの送電アンテナの組立を示す斜視図である。
【図３】本発明の送受電アンテナの第２実施形態を示す斜視図であり、（ａ）、（ｂ）の順で組み立てることを示している。
【図４】本発明の送受電アンテナの第３実施形態を示す斜視図である。
【図５】本発明の送受電アンテナの第４実施形態を示す斜視図である。
【図６】本発明の送受電アンテナの第５実施形態を示す斜視図である。
【符号の説明】
１・・・送電アンテナ
２・・・受電アンテナ
７ａ，９ａ・・・アンテナ面
７・・・送電アンテナユニット（アンテナユニット）
８，１０，２１，３１・・・アンテナフレーム
９・・・受電アンテナユニット（アンテナユニット）
３２・・・ガイドレール（ガイド部）
５１・・・ヒンジ（ヒンジ部）
【図１】
2004088216.tif 000003
【図２】
2004088216.tif 000004
【図３】
2004088216.tif 000005
【図４】
2004088216.tif 000006
【図５】
2004088216.tif 000007
【図６】
2004088216.tif 000008